(57)【要約】本発明は、側方に設けられた縛り部（２）を備えた靴（１）に関し、縛りエレメント又は締付けエレメント（１３）は、ひも通し穴（４．１，４．２，４．３若しくは５．１，５．２，５．３）の２つの互いに並列した列（４，５）のひも通し穴にジグザグ状に交互に通されており、そのうち第１の列（４）は、靴底（６）に又は靴底（６）の上方に縛り側（３）に設けられており、第２の列（５）も同様に、縛り側（３）に、しかし第１の列から側方に間隔を置いて、甲（９）の上に延びたシールドに設けられており、甲（９）に対するシールドの位置は可変である。本発明の課題によれば、この緊定の迅速な緊定及び迅速な弛緩が達成可能であることが望ましい。このことは、シールドが、自由に可動な、実質的に形状安定的な、しかし曲げ弾性的な引張り舌片（８）であり、この引張り舌片が、縛り側（３）とは反対側において唯一の引張り箇所（８．１若しくは８．１．１）を有しており、この引張り箇所を介して引張り舌片が、長さ（１０．１）が調節可能でかつ係止可能な引張り結合部（１０）を用いて靴（１）に結合されている。
2004504915.tif 000002
【特許請求の範囲】
【請求項１】
靴（１）、特に運動靴であって、側方に設けられた縛り部（２）を有しており、縛りエレメント又は締付けエレメント（１３）が、ひも通し穴（４．１，４．２，４．３若しくは５．１，５．２，５．３）の２つの互いに並んだ列（４，５）のひも通し穴にジグザグ状に交互に通されており、前記列の内の第１の列（４）が縛り側（３）において靴底（６）に又は靴底（６）の上方に設けられており、第２の列（５）が同様に縛り側（３）に、しかし第１の列（４）から間隔を置いて並列しながら、甲（９）の上に延びたシールドに設けられており、甲（９）に対する前記シールドの位置が可変である形式のものにおいて、
前記シールドが、自由に可動な、実質的に形状安定的な、しかし曲げ弾性的な引張り舌片（８）であり、該引張り舌片（８）が、縛り側（３）とは反対側、すなわち靴（１）の本質的な緊定側（１２）において、唯一の引張り箇所（８．１若しくは８．１．１）を有しており、該引張り箇所を介して引張り舌片は、長さ（１０．１）が調節可能でかつ係止可能な引張り結合部（１０）を用いて靴（１）と結合されていることを特徴とする、靴。
【請求項２】
前記引張り結合部（１０）の長さ（１０．１）が小さくなる場合に、引張り舌片（１１）が、緊定側（１２）において縛り側（３）から甲（９）を越えて踵（１．３）の方向に生じる緊定締付けの方向で、甲（９）に対して可動であるように、前記引張り結合部（１０）が靴（１）と連結されている、請求項１記載の靴。
【請求項３】
前記引張り結合部（１０）が、緊定側（１２）において、くるぶしの前方からくるぶしの下方までの領域において、引張り結合部が緊定方向で引張り負荷されるように、靴（１）と結合されているか、作用接続しているか又は作用接続させることができる、請求項１又は２記載の靴。
【請求項４】
前記引張り結合部（１０）が引張り舌片（８）と固く結合されており、自由端部（１０．２）が、緊定側（１２）において特に後方の引張り舌片（１１）のひも通し穴（１１．１）に通されており、ひも通し穴（１１．１）が、くるぶしの前方からくるぶしまでの領域、場合によってはくるぶしの下方の領域に設けられている、請求項１から３までのいずれか１項記載の靴。
【請求項５】
前記引張り舌片（８）の引張り箇所（８．１）がひも通し穴（８．１．１）として形成されており、引張り結合部（１０）が、足中央のための靴領域（２０）において直接に又は間接的に靴（１）に取り付けられていて、引張り舌片（８）の靴通し穴（８．１．１）に、次いで後方の引張り舌片（１１）のひも通し穴（１１）に通されている、請求項１から３までのいずれか１項記載の靴。
【請求項６】
縛り又は締付けエレメント（１３）の自由端部及び／又は引張り結合部（１０）の自由端部（１０．２）が、上部の甲領域（９．１）において甲（９）を、それぞれ靴の別の側（３若しくは１２）において横切っており、端部（１０．２；１３．２）が部分的に重なり合っており、解放可能な結合エレメントを用いて結合可能である、請求項５記載の靴。
【請求項７】
前記結合エレメントが、面ファスナ、１つのスナップボタン緊定部、複数のスナップボタン緊定部、又は調節可能なレバー緊定部から成っている、請求項６記載の靴。
【請求項８】
前記縛り又は締付けエレメント（１３）が、靴前方（１．４）の領域において、最も前方のひも通し穴（１９．２，５．１，４．１）を通された後に、靴前部（１．４）に固定されており、縛り又は締付けエレメント（１３）の後方の部分（１３．２）が、縛り側（３）の最も後方のひも通し穴（１４．１）を通された後に、固定されているか、固定可能であるか、緊定位置に固定可能である、請求項１から７までのいずれか１項記載の靴。
【請求項９】
前記最も前方のひも通し穴（１９．１）が、靴（１）の、縛り側（３）とは反対側の緊定側（１２）に設けられており、前記ひも通し穴に通された、縛り又は締付けエレメント（１３）の前方部分（１３．１）が、縛り側（３）において靴（１）に結合されている、請求項１から８までのいずれか１項記載の靴。
【請求項１０】
前記引張り結合部（１０）が、引張り帯として又は引張り編みひもとして形成されている、請求項１から９までのいずれか１項記載の靴。
【請求項１１】
前記引張り帯又は引張り編みひも（１０）が引張り舌片（８）に固く取り付けられておりかつ靴（１）のひも通し穴（１１．１）に通されており、引張り帯若しくは引張り編みひも（１０）の自由端部（１０．２）と、縛り又は締付けエレメント（１３）の後方部分（１３．２）とが、特に摩擦結合によって互いに結合可能である、請求項１０記載の靴。
【請求項１２】
前記縛り又は締付けエレメント（１３）が、少なくともひも通し穴列（４，５）の縛り領域においては、すべり摩擦のより小さな材料から形成されている、請求項１から１１までのいずれか１項記載の靴。
【請求項１３】
前記縛り又は締付けエレメント（１３）が、少なくとも縛り領域においては、ポリアミド、ポリイミド、ポリアセテート、ポリアクリル又はポリエステルから成るプラスチック又はこれらを基礎とするプラスチックから形成されている、請求項１２記載の靴。
【請求項１４】
縛りひも（１３）を使用する場合、該縛りひも（１３）が織物又は編み物から成っている、請求項１から１３までのいずれか１項記載の靴。
【請求項１５】
前記縛りひも（１３）が帯として形成されている、請求項１４記載の靴。
【請求項１６】
前記帯が、レップ帯の形式に基づく横方向リブを有している、請求項１５記載の靴。
【請求項１７】
引張り帯若しくは引張り編みひもとして形成された引張り結合部（１０）と、縛り又は締付けエレメント（１３）の後方部分（１３．２）とが、比較的大きな摩擦係数を有するように及び／又はこのような特性を有する材料から形成されているように、構成されている、請求項１から１６までのいずれか１項記載の靴。
【請求項１８】
前記引張り舌片（８）が、摩擦係数がより小さなプラスチックから形成されている、請求項１から１７までのいずれか１項記載の靴。
【請求項１９】
前記引張り舌片（８）が、ポリアミド、ポリイミド、ポリエチレン又はポリウレタンから成る材料又はこれらを基礎とする材料から形成されている、請求項１８記載の靴。
【請求項２０】
前記引張り舌片が、約０．２〜３ｍｍ、特に約０．３〜２ｍｍの厚さを有している、請求項１から１９までのいずれか１項記載の靴。
【請求項２１】
前記引張り舌片（８）が、緊定側（１２）に唯一の引張り箇所（８．１）を、縛り側（３）に少なくとも３つのひも通し穴（５．１，５．２，５．３）を備えた第２の列（５）を有している、請求項１から２０までのいずれか１項記載の靴。
【請求項２２】
前記引張り舌片（８）が、引張り箇所（８．１）から縛り側（３）へ延びた３つ以上のフィンガ（８．２，８．３，８．４）を有しており、各フィンガの端部にそれぞれ１つのひも通し穴（５．１，５．２，５．３）が設けられている、請求項２１記載の靴。
【請求項２３】
前記フィンガ（８．２，８．３，８．４）が引張り箇所（８．１）から縛り側（３）の方向に扇状に分割されている、請求項２２記載の靴。
【請求項２４】
靴（１）の緊定側（１２）に、踵（１．３）から上部の甲領域（９．１）の方向に延びた引張り舌片（１１）が設けられており、該引張り舌片の甲側の自由端部（１１．２）が引張り結合部（１０）と作用接続している、請求項１から２３までのいずれか１項記載の靴。
【請求項２５】
前記自由端部（１１．２）にひも通し穴（１１．１）が設けられており、該ひも通し穴（１１．１）に引張り帯若しくは引張り編みひも（１０）が通されている、請求項２４記載の靴。
【請求項２６】
緊定側（１２）に固定されていてかつ該緊定側から甲（９）を越えて延びた締付けエレメント（１５）が、縛り側（３）において、前記締付けエレメントが縛り側（３）における定置のひも通し穴（４．２）に通されかつ締付けエレメントの端部（１５．１）が可動な縛りエレメント（４．４）と固く結合されていることにより、締付け可能であり、前記縛り又は締付けエレメント（１３）が、可動な縛りエレメント（４．４）のひも通し穴（４．４．１）に通されている、請求項１から２５までのいずれか１項記載の靴。
【請求項２７】
前記締付けエレメント（１５）が足中央の領域又は足中央と足指付け根関節との間の領域に設けられている、請求項２６記載の靴。
【請求項２８】
引張り舌片として形成された前記締付けエレメント（１５）が、革、引張強度の高い材料、又はプラスチックから形成されている、請求項２６又は２７記載の靴。
【請求項２９】
前記縛り部（２）が靴（１）の内側（１．１）に設けられている、請求項１から２８までのいずれか１項記載の靴。
【請求項３０】
ロープ状の締付けエレメント（１３）が設けられており、該締付けエレメントが、中央回転緊定部を用いて操作可能である、請求項１から２９までのいずれか１項記載の靴。
【発明の詳細な説明】
【０００１】
本発明は、靴、特に請求項１の上位概念部による、側部に設けられた縛り部を備えた運動靴に関する。
【０００２】
このような靴はドイツ民主共和国特許第８９７９６号明細書より公知である。この明細書では、甲の上にシールドが設けられており、このシールドは、足に靴を固定するためにこのシールドの下方に設けられた固定手段を被覆している。シールドは、前方で靴に固定されており、両方の側方縁部において多数のひも通し穴を有する一種の被覆舌片を形成している。これらのひも通し穴に対して間隔を置きながら一列の別のひも通し穴が並設されており、これらのひも通し穴は、アッパーに固定されたタブに設けられている。両側における縛り部に応じて、シールドの位置及び縛り部の強度を変化させることができる。シールド及び対応配置された縛り部は、唯一の緊定手段として設けられていることもできる。
【０００３】
両方の縛り部を用いた靴の緊定及び緊定の弛緩は比較的複雑であり、大きな時間の浪費を必要とする。
【０００４】
したがって、本発明によって、迅速緊定及び緊定の迅速弛緩が達成されることができるように公知の形式の縛り部を発展させることによって課題は解決されることが望ましい。
【０００５】
この課題は請求項１の特徴によって解決された。
【０００６】
唯一の引張り箇所及び引張り結合部を備えたほぼ形状安定的な引張り舌片を使用することによって、引張り舌片を、短い引張りと、場合によってはこの後のループ形成とによって迅速に緊定位置に至らしめることができ、同様にループの解放により再び迅速に解放させることができる。このことは、例えばトライアスロンにおいて使用される靴の場合に特に有利である。なぜならば、この場合には準備時間、すなわちこのような靴の着脱に必要な時間が競技結果に著しく影響するからである。
【０００７】
本発明の別の有利な詳細は従属請求項に示されており、図面に示された実施例を参照して以下にさらに詳しく説明する。
【０００８】
図１は、本発明による靴の上面図である。
【０００９】
図２は、図１による靴の側面図である。
【００１０】
図３は、甲の上に特別な締付け手段を備えた靴の上面図である。
【００１１】
図４は、図３に示した靴の側面図である。
【００１２】
図５は、図４において円で囲んだ部分を拡大して示す前方から見た断面図である。
【００１３】
図６は、本発明による靴の別の実施形態を示す上面図である。
【００１４】
図７は、図６に示した本発明による靴の上面図であるが、側部の縛りひもを緊定及び弛緩するための中央回転緊定部を備えている。
【００１５】
図１及び図２には、側部の縛り部２を備えた靴１が示されている。この縛り部は、実施例の場合、縛り側に、この場合には靴１の内側１．１に設けられている。縛り部２のために、２列のひも通し穴４．１，４．２，４．３及び５．１，５．２，５．３の２つの列４，５が設けられている。ひも通し穴の第１の列４は、靴底の領域における靴底６に設けられているか又は、少なくとも１つの、例えばアッパーに取り付けられた、上方へ延びた舌片若しくは図示された舌片７．１，７．２，７．３に設けられている。ひも通し穴の第２の列５は、引張り舌片８として形成された、甲９上において移動自在に設けられたシールドに、ひも通し穴の第１の列４から間隔を置いて取り付けられている。引張り舌片８自体は、ひも通し穴の列５とは引張り方向で反対側の位置に唯一の引張り箇所８．１を有しており、この引張り箇所８．１において引張り舌片は、長さ１０．１が可変でかつロック可能な引張り結合部１０と固く結合されている。実施例の場合に引張り帯又は引張り編みひもとして形成された引張り結合部１０自体は、引張り舌片１１のひも通し穴１１．１に通されている。後方の引張り舌片１１は、縛り側３とは反対側に、この場合には靴１の外側１．２に取り付けられている。この外側１．２は、後で詳しく説明するように、靴１の本来の緊定側１２である。縛り側３が外側１．２に設けられていて、緊定側１２が靴１の内側１．１に設けられていてもよく、この場合も同じ結果が生じる。
【００１６】
有利には、後方の引張り舌片１１は靴１の踵１．３から引張り方向に上部の甲領域９．１又は中央の甲領域９．２にまで延びている。
【００１７】
引張り舌片１１は、くるぶしの前方の領域においてくるぶしの下方まで位置しており、靴１と固く又は可動に、緊定方向で引張り負荷可能であるように結合されているか又は作用接続されている。引張り舌片の甲側の自由端部１１．２にはひも通し穴１１．１が設けられている。
【００１８】
引張り舌片８は、摩擦係数の小さい、引張り強さの高い、曲げ弾性的な材料から成っている。ポリアミド、ポリエチレン又はポリウレタンから成るプラスチック、又はこれらを基礎とするプラスチックが適していることが分かった。しかしながら、他のプラスチック又は材料、例えばステンレス鋼、ばね黄銅又は同様のもの等の金属も適している。引張り舌片８は、約０．２〜３ｍｍ、特に約０．３〜２ｍｍの厚さを有していると有利である。引張り舌片は、唯一のプレートから成ることができる。しかし、引張り舌片は、引張り箇所８．１から縛り側３に向かって扇状に延びた３つ以上のフィンガ８．２，８．３，８．４を有していると有利であり、これらのフィンガの自由端部には、ひも通し穴の第２の列５を構成したそれぞれ１つのひも通し穴５．１，５．２若しくは５．３が配置されている。
【００１９】
ひも通し穴の２つの列４，５を通って、縛りひも１３は一方の列から他方の列へジグザグ状に通されている。縛りひもの前端部１３．１はまず、緊定側１２に設けられた、舌片１９の最も前方のひも通し穴１９．１に通され、次いで縛り側３では、靴前部１．４の領域、有利には靴底６の領域において、特に靴底の上方で固定されている。
【００２０】
しかしながら、固定は、舌片１９及びこの舌片１９のひも通し穴１９．１が必要と見なされない場合には、ひも通し穴５．１へ通した後に既に行ってしまうことができる。また、縛りひも１３の前端部１３．１は、ひも通し穴４．１への引き通しの後に緊定側１２において固定することもできる。
【００２１】
縛りひも１３の後方の自由端部１３．２は、踵１．３から上部の甲領域９．１へ引張り負荷可能な引張り舌片１４のひも通し穴１４．１に引き通されている。後方の自由端部は、緊定位置に係止可能であると有利であるが、別の位置に係止可能であることもできる。
【００２２】
係止は、靴１に、縛り側３又は緊定側１２において、固く又は有利には可変に提供されることができる。係止は、所要のひも締付けに対応した縛りひも１３の締付けした部分の長さを自由に選択する場合に、例えば押しボタン列を用いた固定、面ファスナ緊定、レバー緊定によって又は、引張り結合部１０の自由端部１０．２との結合によって行われる。図１から図４までに示した実施例の場合、固定及び長さ決定は引張り結合１０を用いた縛りによって行われる。
【００２３】
引張り帯又は引張り編みひもとして形成された引張り結合部１０の自由端部１０．２を、例えば蝶結びによって縛りひも１３の後方の自由端部１３．２と相互に結合することができる。
【００２４】
本発明による縛りの作用形式は以下の通りである。
【００２５】
縛りひも１３の後方の自由端部１３．２において引っ張ると、ひも通し穴の両方の列４，５が公知の形式で互いに引っ張られる。この手段によって、靴１はほぼ足の形状に適合させられる。今や縛りひも１３の後方の自由端部１３．２が引張り結合部１０の自由端部１０．２と結び付けられかつ蝶結びにされると、一方では縛り部２が僅かに再締付けさせられ、実質的にしかしながら引張り舌片８が踵１．３の方向に引っ張られ、これにより靴１の迅速な緊定が達成される。これとは逆に、蝶結びを解くと、引張り舌片８が迅速に負荷軽減され、縛り部２を十分に解く必要なしに靴１の極めて迅速な弛緩が生じる。縛り部配列の作用形式と、引張り結合部１０を備えた引張り舌片８の構成とから、実施例においては靴の外側１．２が緊定側１２と呼ばれている。なぜならば、本質的な緊定動作及び弛緩動作がこの箇所で行われるからである。
【００２６】
縛り部２は、必ずしも靴の側部若しくは縛り側において提供される必要はない。縛り部２は、上方に向かって甲９まで、さらに場合によっては甲９を越えて緊定側１２まで配置されていてもよい。これは、引張り結合部１０の、緊定に必要な長さ１０．１に依存する。
【００２７】
有利には、縛りひも１３は摩擦係数の小さな材料から形成されている。例えば、ポリアミド、ポリイミド、ポリアクリル又はポリエステルから成るプラスチック、又はこれらを基礎とするプラスチックが適している。引張り結合部１０がこれらの材料から形成されていてもよい。
【００２８】
しかしながら、自由端部１０．２を備えた引張り結合部１０と、縛りひも１３の後方の端部１３．２とは、摩擦係数のより高い材料から形成されているか、より高い摩擦係数を有するように製造されていると有利である。これにより、結ぶループのより優れた緊定力を得ることができる。この部分は綿から形成されていてもよい。摩擦係数の高い縛りひも１３の後方の部分１３．２は、例えば両方の縛りひも部分１３，１３．２を互いに縫着及び／又は接着することによって残りの部分に取り付けられている。縛りひも１３及び引張り結合部１０は有利には織物又は編み物から成っている。縛りひも１３は帯として形成されていると有利である。より強い横リブを有していて、つまりレップ材料の形式に基づいて製造されている織物の帯が有利であることが分かった。
【００２９】
図３から図５までに示したように、本発明の有利な別の構成によれば、甲９を越えて、例えば中央の甲領域９．２若しくは足中央の領域に設けられた特別な締付けエレメント１５によって、縛り部をさらに改良することができる。締付けエレメント１５は、緊定側１２において例えば靴底領域又はアッパー領域に取り付けられている。締付けエレメント１５は、甲９、有利には中央の甲領域９．２及び／又は場合によっては前方の甲領域９．３を越えて、若しくは足中央と足指付け根関節との間の足前部の領域に延びている。締付けエレメント１５の、縛り側３にまで延びた部分は、端部１５．１において、１つの若しくは特定の四角形の、靴１に固く取り付けられた縛りアイレット４．２に通されておりかつ、可動な縛りアイレット４．４に固定されている。可動な縛りアイレット４．４のひも開口４．４．１に縛りひも１３が通されている。
【００３０】
この配置の作用形式は以下の通りである。
【００３１】
縛りひも１３において引っ張る場合、可動な縛りアイレット４．４が甲９の方向に引っ張られる。これにより、縛りアイレット４．４に取り付けられた、締付けエレメント１５の端部１５．１も同様に甲９の方向に引っ張られ、縛りアイレット４．２と４．４との間の間隔１６が拡大する。これにより、靴１における固定箇所と、縛りアイレット４．２の巻付き部１８との間の、締付けエレメント１５の引張長さ１７は縮小し、甲９の上に別の締付けが提供される。
【００３２】
締付けエレメント１５は、できるだけ引張強度の高い材料、例えば革、織物材料又はプラスチックから形成されている。締付けエレメントを、アッパー材料に取り付けることができ、例えば縫着及び／又は接着することができる。
【００３３】
縛りひもを使用する代わりに、例えば欧州特許第０５５９６４８号から公知のように、靴を緊定するために、中央回転緊定部を用いて操作することができる、ロープ状の締付けエレメントを使用することができる。
【００３４】
図６に示した実施例の場合、緊定締付けが、図１から図４までに示した実施例の場合ほど強く踵に向かって作用しないような緊定が示されている。この場合、足中央のための中央の靴領域２０における引張り結合部１０が、直接に又は間接的に、例えば舌片又はつまみを介して靴１に固定されている。この固定は、靴底６において又は靴底６の上方で行われる。引張り舌片８は、引張箇所８．１の代わりにひも通し穴８．１．１を有している。引張り結合部１０の自由端部１０．２は、まず引張舌片８のひも通し穴８．１．１に、次いで後方の引張舌片１１のひも通し穴１１．１に通される（図２参照）。引張り結合部１０の固定部が中央の靴領域２０のより前方に設けられるか又はより後方に設けられるかに応じて、引張締付けは、程度の差こそあれ甲に対して横方向に、又はさらに踵１．３の方向に向けられることができる。迅速弛緩及び迅速緊定の効果は完全に保たれる。
【００３５】
縛りひも１３の自由端部１３．２は、図６に示したように、最も後方のひも通し穴１４．１から、甲９の上部領域９．１を越えて緊定側１２にまで引っ張られ、そこで有利にはほぼ同じ高さで又はさらに低い位置、例えば固定箇所２１に固定されているか又は固定可能であってよい。甲９を横切った自由端部１３．２の上側には、面ファスナ２２が取り付けられていてよい。これに対応して、引張結合部１０の自由端部１０．２の上側には面ファスナ２３が取り付けられており、この面ファスナは面ファスナ２２に対する相手側部材を形成している。自由端部１３．２の固い又は調整可能な取付けによって、また、引張り結合部１０の自由端部１０．２において引っ張り、甲９の上を横切るように自由端部１３．２の上に案内し、面ファスナ部分２２と２３とを互いに重ねて押し合わせることによって、端部１３．２と引張り結合部１０の端部１０．２とは迅速に、固く、容易に解放可能に互いに結合される。面ファスナ２２，２３の代わりに別の迅速緊定形式を使用することもできる。
【００３６】
例えば、片側又は両側のスナップボタン列、調節可能なレバー緊定部又は自体公知の迅速締付け緊定部が設けられていてよい。
【００３７】
この実施例の場合には、欧州特許第０５５９６４８号に基づく中央回転緊定部２５に関連したロープ状の締付けエレメント２４を使用することも考えられ、これは図７に示されている。
【図面の簡単な説明】
【図１】
本発明による靴の上面図である。
【図２】
図１による靴の側面図である。
【図３】
甲の上に特別な張設手段を備えた靴の上面図である。
【図４】
図３に示した靴の側面図である。
【図５】
図４において円で囲んだ部分を拡大して示す前方から見た断面図である。
【図６】
本発明による靴の別の実施形態を示す上面図である。
【図７】
図６に示した本発明による靴の上面図であるが、側部の縛りひもを緊定及び開放するための中央回転緊定部を備えている。
【符号の説明】
１　靴、　１．１内側、　１．２　外側、　１．３　踵、　１．４　靴前部、　２　縛り部、　３　縛り側、　４，５　列、　４．１，４．２，４．３，５．１，５．２，５．３　ひも通し穴、　６　靴底、　７．１，７．２，７．３　舌片、　８　引張り舌片、　８．１　引張り箇所、　８．１．１　ひも通し穴、　８．２　フィンガ、　９　甲、　１０　引張り結合部、　１０．１　長さ、　１０．２　自由端部、　１１　引張り舌片、　１１．１　ひも通し穴、　１１．２　自由端部、　１２　緊定側、　１３　縛りひも、　１３．１　前端部、　１３．２　後方の自由端部、　１４　引張り舌片、　１５　締付けエレメント、　１６　間隔、　１７　引張り長さ、　１９　舌片、　１９．１　ひも通し穴、　２０　靴領域、　２１　固定箇所、　２２，２３　面ファスナ部分、　２４　締付けエレメント、　２５　中央回転緊定部
【国際公開パンフレット】
2004504915.tif 000003
2004504915.tif 000004
2004504915.tif 000005
2004504915.tif 000006
2004504915.tif 000007
2004504915.tif 000008
2004504915.tif 000009
2004504915.tif 000010
2004504915.tif 000011
2004504915.tif 000012
2004504915.tif 000013
2004504915.tif 000014
2004504915.tif 000015
2004504915.tif 000016
2004504915.tif 000017
2004504915.tif 000018
2004504915.tif 000019
2004504915.tif 000020
2004504915.tif 000021
2004504915.tif 000022
2004504915.tif 000023
2004504915.tif 000024
2004504915.tif 000025
【国際公開パンフレット（コレクトバージョン）】
2004504915.tif 000026
2004504915.tif 000027
【国際調査報告】
2004504915.tif 000028
2004504915.tif 000029
2004504915.tif 000030
2004504915.tif 000031
2004504915.tif 000032
2004504915.tif 000033